(57)【特許請求の範囲】
【請求項１】
回転自在に設けられた光ディスク上に空気動圧により所定の高さに浮上して走行しつつ、前記光ディスクに対して情報の記録／再生を行う光ディスクドライブ用空気軸受スライダにおいて、対物レンズが装着されるように貫通形成された対物レンズ装着ホールと、この対物レンズ装着ホールの一側部に上下に貫通するように貫通形成された開口部を有するスライダ本体とを含んで、空気動圧により前記スライダの浮上時に前記スライダ本体の下側に流入された空気が前記対物レンズ装着ホールを経て、前記開口部を通じて流出可能になり、
前記開口部は、前記光ディスクの回転方向に対する前記スライダ本体の相対的な移動方向に対し、前記対物レンズ装着ホールの後方に所定長さに形成され、流入された空気が抜け出るようになったことを特徴とする光ディスクドライブ用空気軸受スライダ。
【請求項２】
前記対物レンズ装着ホールに臨む前記開口部の一端部及び前記対物レンズ装着ホールの中心点を通る線分と、前記スライダ本体の移動方向に垂直でありかつ前記対物レンズ装着ホールの中心点を通る線分との間の角度をθとしたとき、このθは、下記の条件式を満足することを特徴とする請求項１に記載の光ディスクドライブ用空気軸受スライダ。０゜<θ<９０゜
【請求項３】
前記対物レンズは、前記対物レンズ装着ホールの上部に接合により設けられたことを特徴とする請求項１または２に記載の光ディスクドライブ用空気軸受スライダ。
【請求項４】
前記対物レンズは、前記対物レンズ装着ホール内に引き込まれて設けられたことを特徴とする請求項１または２に記載の光ディスクドライブ用空気軸受スライダ。
【発明の詳細な説明】
【０００１】
【発明の属する技術分野】
本発明はスイングアーム駆動方式の光ディスクドライブ用空気軸受スライダに係り、より詳細には、対物レンズを安定的に装着すると共に、対物レンズが装着された対物レンズ装着ホール内にホコリが溜まることを防止できるようになった光ディスクドライブ用空気軸受スライダに関する。
【０００２】
【従来の技術】
図１を参照すれば、通常の光ディスクドライブは、ベース１０に対し往復回転自在に設けられたスイングアーム２１と、前記スイングアーム２１に回転駆動力を与えるアクチュエータ２３と、空気動圧により光ディスク１に対して浮上されたまま光ディスク１のトラックに沿って移動自在に前記スイングアーム２１の端部に設けられたスライダ２５、及びこのスライダ２５に設けられ、光学的に情報を再生自在に前記光ディスク１に光スポットを形成する対物レンズ３１と磁界変調のためのコイルを備えた光ヘッド３０とを含んでなる。
【０００３】
図２及び図３を参照すれば、従来の光ディスクドライブの光ヘッド３０は、スライダ２５に設けられ、入射したレーザ光を光ディスク１に集束させる対物レンズ３１と、この対物レンズ３１と光ディスク１との間に位置するように前記スライダ２５の一側に水平方向に設けられたコイル３５とを含む。ここで、コイル３５は互いに反対方向に巻かれた一対のコイルから構成され、そのコイル３５に印加された電流の方向に沿って形成される水平磁界により光ディスク１に情報を記録する。
【０００４】
一方、前述のように構成された光ヘッドは、図３に示したように、対物レンズ３１がスライダ２５の上面に一部だけが掛け渡されて組み立てられている状態で、スライダ２５に対する接合時に、接合材が固まりつつ、対物レンズ３１が傾斜して接着されるため、対物レンズが光軸から外れたり、傾斜して配置される恐れが極めて高い。
【０００５】
また、スライダ上に対物レンズ装着ホールだけを形成し、この装着ホールに対物レンズの外周部の全体を接合する場合には、接合による光軸ずれ及び傾斜配置の問題を克服できるが、対物レンズ装着ホール内にホコリが溜まってしまい、対物レンズの性能が低下するという問題がある。
【０００６】
【発明が解決しようとする課題】
本発明は上記事情に鑑みてなされたものであり、その目的は、スライダ本体に装着される対物レンズの光軸ずれ及び傾斜する度合いを最小化すると共に、対物レンズ装着ホール内にホコリが溜まることを防止できるようにその構造が改善された光ディスクドライブ用空気軸受スライダを提供することである。
【０００７】
【課題を解決するための手段】
前記目的を達成するために、本発明は、回転自在に設けられた光ディスク上に空気動圧により所定高さに浮上して走行しつつ、前記光ディスクに対し情報の記録／再生を行う光ディスクドライブ用空気軸受スライダにおいて、対物レンズが装着されるように貫通形成された対物レンズ装着ホールと、この対物レンズ装着ホールの一側部に貫通形成された開口部を有するスライダ本体とを含んで、空気動圧により前記スライダの浮上時に前記スライダ本体の下側に流入された空気が前記対物レンズ装着ホールを経て、前記開口部を通じて流出されるようになったことを特徴とする。
【０００８】
【発明の実施の形態】
以下、添付した図面に基づき、本発明の望ましい実施形態について詳細に説明する。
図４ないし図６を参照すれば、本発明の一実施形態による光ディスクドライブ用空気軸受スライダは、対物レンズ５０が装着されるスライダ本体６０と、前記スライダ本体６０の一面、すなわち光ディスク（図１の符号１）との対向面に形成された空気軸受面６５とを含む。この空気軸受スライダは、図１に示されたように、スイングアーム駆動方式の光ディスクドライブに設けられ、回転自在に設けられた光ディスク上に空気動圧により所定高さに浮上して走行しつつ、前記光ディスクに対して情報の記録／再生を行う。
【０００９】
前記スライダ本体６０は、その上下部面を貫通して形成され、かつ対物レンズ５０が装着される対物レンズ装着ホール６１と、この対物レンズ装着ホール６１の一側部とスライダ本体６０の一側面との間に設けられた開口部６３とを有する。ここで、前記対物レンズ５０は前記対物レンズ装着ホール６１上に接合により設けられるものであって、前記開口部６３を除いた前記装着ホール６１の周りには前記対物レンズ５０が接合される接合部６１ａが設けられ、前記対物レンズ５０が前記対物レンズ装着ホール６１に安定的に接合可能になる。
【００１０】
前記開口部６３は、前記光ディスクの回転方向に対する前記スライダ本体６０の相対的な移動方向（図５において、ＯＡ方向が前方であり、ＯＡ'方向が後方である）に対し、前記対物レンズ装着ホール６１と前記スライダ本体６０の後側部との間に設けられる。ここで、前記開口部６３は前記装着ホール６１と連通され、所定長さに形成される。
【００１１】
この場合、前記対物レンズ装着ホール６１の内部の圧力は前記スライダ本体６０の外部と同様の大気圧となるため、この対物レンズ装着ホール６１の内部に流入された空気は開口部６３を通じて外部に容易に抜け出る。すなわち、図６に矢印にて示した空気の流れ方向（Ｆ１）（Ｆ２）（Ｆ３）を調べてみるとき、空気動圧により前記空気軸受面６５の浮上時に引き起こされた空気の流れのうち一部（Ｆ２）は前記対物レンズ装着ホール６１を経て、前記開口部６３を通じて進行する。したがって、動作時に前記対物レンズ装着ホール６１の内部及び対物レンズ５０の底面にホコリが溜まることを防止すると共に、溜まったホコリを除去できる。
【００１２】
図５を参照すれば、前記対物レンズ装着ホール６１に臨む前記開口部６３の一端部Ｐ及び前記対物レンズ装着ホール６１の中心点Ｏを通る線分Ｏ-Ｐと、前記スライダ本体６０の相対的な移動方向（ＯＡ方向）に垂直でありかつ前記対物レンズ装着ホール６１の中心点Ｏを通る線分Ｂ-Ｂ'との間の角度をθと定義したとき、望ましくは、このθは下記式（１）を満足する。
【００１３】
0゜<θ<90゜                                        （１）
【００１４】
すなわち、図５において、θが０゜よりも小さい場合、すなわち、角Ａ'ＯＰが鈍角になる場合には、接合部分が半円未満となり、Ｂ-Ｂ'を基準として対物レンズ５０の上部だけが接合される。したがって、接合部がＢ-Ｂ'を基準として非対称的に接合材が硬化するため、対物レンズ５０が傾斜して組み立てられる恐れがある。また、θが９０゜よりも小さい場合には、前記開口部６３を形成することになり、前記対物レンズ装着ホール６１内にホコリが流入されて対物レンズ５０の表面に溜まることを防止できる。このため、望ましくは、前記角θは前記式（１）を満足する。一方、前記式（１）は理論的な場合に過ぎず、実際には、十分な組立て面積及び十分なホコリの排出通路を確保するために、望ましくは、角θは下記式（２）を満足する。
【００１５】
１０゜<θ<８０゜                                  （２）
【００１６】
図７を参照すれば、本発明の他の実施形態による空気軸受スライダは、前述のような構造の対物レンズ装着ホール７１及び開口部７３を有するスライダ本体７０を含むものであって、前記対物レンズ装着ホール７１がスライダ本体７０の相対的な移動方向の後方（ＯＡ'）側に偏って位置するところに特徴がある。この場合、前記開口部７３を狭めて形成できるので、前記スライダ本体７０が製作し易いという利点がある。
【００１７】
また、本発明による空気軸受スライダは、図８に示されたように、対物レンズ５０が対物レンズ装着ホール６１の内部に引き込まれて設けることが可能である。
【００１８】
そして、前記対物レンズ装着ホール６１は、前記スライダ本体６０を水平方向に切断してみるとき、その断面形状は、図面に示した円形のほかに、五角形、六角形などの多角形であっても構わない。
【００１９】
【発明の効果】
以上述べたように、本発明による光ディスクドライブ用空気軸受スライダは、対物レンズ装着ホールがスライダ本体内に設けられ、対物レンズの接合面が装着ホールの周りの半分以上を占めることにより、対物レンズの光軸整列の誤差及び傾斜の誤差を最小化できる。また、開口部を設けることにより、装着された対物レンズにホコリが溜まることを抑え、汚染によるレンズ性能の低下を防止できるという利点がある。
【図面の簡単な説明】
【図１】  通常のスイングアーム駆動方式の光ディスクドライブを示した概略平面図である。
【図２】  図１の光ディスクドライブの光ヘッドを示した概略断面図である。
【図３】  図２のIII-III線による概略底面図である。
【図４】  本発明の一実施形態による光ディスクドライブ用空気軸受スライダを示した概略斜視図である。
【図５】  図４の平面図である。
【図６】  図４の底面図である。
【図７】  本発明の他の実施形態による光ディスクドライブ用空気軸受スライダを示した概略平面図である。
【図８】  本発明の実施形態による光ディスクドライブ用空気軸受スライダに対する対物レンズの装着例を示した概略断面図である。
【符号の説明】
５０  対物レンズ
６０  スライダ本体
６１  対物レンズ装着ホール
６３  開口部
【図１】
0003895561.tif 000002
【図２】
0003895561.tif 000003
【図３】
0003895561.tif 000004
【図４】
0003895561.tif 000005
【図５】
0003895561.tif 000006
【図６】
0003895561.tif 000007
【図７】
0003895561.tif 000008
【図８】
0003895561.tif 000009